(57)【要約】【課題】建造物内の設備に雨水および海水の浸入を防ぐことができる隔壁を有するケーブルダクトの密閉構造を提供すること。【解決手段】建造物Ｘから前記建造物Ｘの地下を通り前記建造物Ｘの屋外に向かって設けられ、複数のケーブル１が通されたケーブルダクト２の密閉構造であって、前記ケーブルダクト２内に隔壁３を有し、前記隔壁３は、前記複数のケーブル１の間の隙間に浸透するように、前記ケーブルダクト２内を充填する延焼防止材によって形成された内壁４を含む密閉構造である。【選択図】図１
2008061341.tif 000002
【特許請求の範囲】
【請求項１】
建造物から前記建造物の地下を通り前記建造物の屋外に向かって設けられ、複数のケーブルが通されたケーブルダクトの密閉構造であって、
前記ケーブルダクト内に隔壁を有し、
前記隔壁は、前記複数のケーブルの間の隙間に浸透するように、前記ケーブルダクト内を充填する延焼防止材によって形成された内壁を含む密閉構造。
【請求項２】
前記ケーブルダクトは、前記屋外に通じる１以上のダクト孔が備えられ、
前記隔壁は、前記建造物と前記１以上のダクト孔のうち前記建造物から最も近いダクト孔との間に設けられる請求項１記載の密閉構造。
【請求項３】
前記隔壁は、前記内壁の両端に一対のパネルを備える請求項１または２記載の密閉構造。
【請求項４】
前記パネルが、石膏ボードである請求項３記載の密閉構造。
【請求項５】
更に、前記隔壁は、前記ケーブルダクトの底面と前記ケーブルとの間に敷材を備える請求項１から４いずれか記載の密閉構造。
【請求項６】
更に、前記隔壁と前記ケーブルダクトの内周面とのダクト孔側の継目部に、弾性を有する樹脂を備える請求項１から５いずれか記載の密閉構造。
【請求項７】
前記樹脂がエポキシ樹脂を主成分とする樹脂である請求項６記載の密閉構造。
【請求項８】
前記内壁は、更に発泡ウレタンを含む請求項１から７いずれか記載の密閉構造。
【発明の詳細な説明】
【技術分野】
【０００１】
本発明は、ケーブルダクトの密閉構造に関し、特に、雨水および海水の浸入を防止するための隔壁を有するケーブルダクトの密閉構造に関する。
【背景技術】
【０００２】
従来、ケーブルを敷設する際、ケーブルをケーブルダクト内に収容する方法が用いられている。このケーブルダクト内は、雨水および海水が浸入することがある。この場合、ケーブルダクトを通して、電流制御装置が設けられている室内に侵入する。したがって、その室内は、高湿度となり、電気の絶縁障害を誘起し、更に金属からなる機器の腐食あるいは発錆を招き、設備に多大な損害を与えていた。
【０００３】
このような設備の腐食を防止するため、特許文献１には、ケーブルダクトの空域内にケーブルの太さに相応した下円筒反割り体および上円筒反割り体を挿入し、更に、この下円筒反割り体と上円筒反割り体との空域内に樹脂を注入し、ケーブルを固定し、ケーブルダクトの水止するための水止構造体が開示されている。
【特許文献１】特開平７−４６７４１号公報
【発明の開示】
【発明が解決しようとする課題】
【０００４】
しかしながら、特許文献１に記載されている水止構造体は、この水止構造体に用いられる下円筒反割り体および上円筒反割り体をケーブルダクトの形状に合わせる必要があるため、様々なケーブルダクトに用いるのは困難であった。
【０００５】
本発明は、ケーブルダクトの形状に関わらず用いることができ、建造物内の設備に雨水および海水の浸入を防ぐことができる隔壁を有するケーブルダクトの密閉構造を提供することを目的とする。
【課題を解決するための手段】
【０００６】
本発明は、以上のような問題点に鑑みてなされたものであり、複数のケーブルが通されたケーブルダクト内に隔壁を有し、この隔壁が、複数のケーブルの間の隙間に浸透するようにケーブルダクト内を充填する延焼防止材によって形成された内壁を含む密閉構造である。
【０００７】
より具体的には、本発明では、以下のようなものを提供する。
【０００８】
（１）  建造物から前記建造物の地下を通り前記建造物の屋外に向かって設けられ、複数のケーブルが通されたケーブルダクトの密閉構造であって、前記ケーブルダクト内に隔壁を有し、前記隔壁は、前記複数のケーブルの間の隙間に浸透するように、前記ケーブルダクト内を充填する延焼防止材によって形成された内壁を含む密閉構造。
【０００９】
（１）の発明によれば、密閉構造は、ケーブルダクト内に隔壁を有し、隔壁は、ケーブルダクト内を通る複数のケーブルの間の隙間に浸透するようにケーブルダクト内を充填している。また、隔壁は、延焼防止材によって形成された内壁を含んでいる。したがって、複数のケーブルの間の隙間を延焼防止材により充填しているため、隙間なく隔壁を形成することができ、水の浸入を防止することができる。また、延焼防止材を用いることにより、注入時の粘度を抑えることができ、また比重が大きいため、細かな隙間にも流入させることができる。また、ゴム状に硬化するため、高度な気密・防水性を得ることができる。
【００１０】
（２）  前記ケーブルダクトは、前記屋外に通じる１以上のダクト孔が備えられ、前記隔壁は、前記建造物と前記１以上のダクト孔のうち前記建造物から最も近いダクト孔との間に設けられる（１）記載の密閉構造。
【００１１】
（２）の発明によれば、ケーブルダクトには、屋外に通じる１以上のダクト孔が備えられており、隔壁は、建造物とこの１以上のダクト孔のうち建造物から最も近いダクト孔との間に設けられている。したがって、ダクト孔から、雨水または海水がケーブルダクト内に浸入しても、ダクト孔から建造物側には、隔壁が設けられているため、建造物内の設備から雨水および海水の浸入を防止することができる。
【００１２】
（３）  前記隔壁は、前記内壁の両端に一対のパネルを備える（１）または（２）記載の密閉構造。
【００１３】
（３）の発明によれば、隔壁は内壁の両端に一対のパネルを備えている。したがって、製造する際に、一対のパネルを設けることにより、延焼防止材を流入した際、ケーブルダクト内に広がることを防止することができ、隔壁の厚さを一定にし、延焼防止材の量を低減することができる。
【００１４】
（４）  前記パネルが、石膏ボードである（３）記載の密閉構造。
【００１５】
（４）の発明によれば、前記パネルが石膏ボードであるため、耐水性に優れ、かつ軽量で、加工しやすいため、隔壁を構成するパネルとして好適に用いることができる。
【００１６】
（５）  更に、前記隔壁は、前記ケーブルダクトの底面と前記ケーブルとの間に敷材を備える（１）から（４）いずれか記載の密閉構造。
【００１７】
（５）の発明によれば、隔壁中のケーブルダクトの底面とケーブルとの間に敷材を備えているため、ケーブルとケーブルダクトの底面との間に隙間を設けることができ、延焼防止材を浸透させることができる。したがって、気密性・防水性の高い密閉構造を得ることができる。
【００１８】
（６）  更に、前記隔壁と前記ケーブルダクトの内周面とのダクト孔側の継目部に、弾性を有する樹脂を備える（１）から（５）いずれか記載の密閉構造。
【００１９】
（６）の発明によれば、隔壁のダクト孔側の、隔壁とケーブルダクトの内周面との継目部に弾性を有する樹脂を備えている。したがって、隔壁に、振動・衝撃が加わった場合、隔壁とケーブルダクトの内周面とで隙間が生じることを防ぐことができ、防水性を保持することができる。
【００２０】
（７）  前記樹脂がエポキシ樹脂を主成分とする樹脂である（６）記載の密閉構造。
【００２１】
（７）の発明によれば、樹脂がエポキシ樹脂であるため、樹脂を塗布する下地の原料、あるいは、乾燥面、湿潤面に関わらず用いることができ、対象物を接着・硬化させることができる。
【００２２】
（８）  前記内壁は、更に発泡ウレタンを含む（１）から（７）いずれか記載の密閉構造。
【００２３】
（８）の発明によれば、内壁は更に発泡ウレタンを含んでいるため、発泡ウレタンを含む内壁を形成することができる。したがって内壁の強度を上げることができ、更に、延焼防止材の量を低減することができるため、製造コストを抑えることができる。
【発明の効果】
【００２４】
本発明によれば、複数のケーブルの間の隙間を延焼防止材により充填しているため、隙間なく隔壁を形成することができ、水の浸入を防止することができる。また、延焼防止材を用いることにより、注入時の粘度を抑えることができ、また比重が大きいため、細かな隙間にも流入させることができる。また、ゴム状に硬化するため、高度な気密・防水性を得ることができる。
【発明を実施するための最良の形態】
【００２５】
以下、本発明を実施するための最良の形態について添付した図面を参照しながら説明する。なお、これはあくまでも一実施形態であって、本発明の技術的範囲はこれに限られるものではない。
【００２６】
［第１実施形態］
図１は本発明の第１実施形態の密閉構造を示す断面図である。第１実施形態の密閉構造は、ケーブルダクト２内に隔壁３を有し、この隔壁３は、複数のケーブル１の間の隙間に浸透するようにケーブルダクト２内を充填する延焼防止剤によって形成された内壁４を含んでいる。
【００２７】
＜ケーブルダクト＞
ケーブルダクト２は、建造物Ｘから延びる複数のケーブル１の外周囲の四方を囲んで建造物の地下を通り、建造物Ｘの屋外に向かって設けられている。また、ケーブルダクト２は、建造物Ｘの屋外に通じる１以上のダクト孔６が備えられている。
【００２８】
＜隔壁＞
ケーブルダクト２内に設けられる隔壁３は、延焼防止材により形成される内壁４を含んでいる。内壁４は、延焼防止材を硬化することにより形成される。この延焼防止材により、ケーブルダクト２とケーブル１との隙間が封鎖されており、屋外からの雨水および海水の浸入を防止することができる。また、延焼防止材は、ケーブル１とこれに隣り合うケーブル１との間の隙間に浸透するように充填されているため、複数のケーブル１の間の隙間からの雨水および海水の浸入も防止することができる。
【００２９】
延焼防止材としては、常温で硬化するものが、取り扱いの面から好ましく、具体的には、「ダンシール−Ｌ」（古河テクノマテリアル社製）が好ましく用いられる。
【００３０】
また、内壁４には、発泡ウレタンを添加することが好ましい。発泡ウレタンを添加することにより、内壁４の強度を上げることができる。また、延焼防止材の添加量を抑えることができるため、製造コストの低減を図ることができる。
【００３１】
このような発泡ウレタンとしては、発泡ウレタンを添加し任意の形に成形するようなものであれば特に限定されず用いることができる。例えば、ポリエーテルポリオール、ポリエステルポリオールなどから選択される主剤と、硬化剤としてのイソシアネート類、触媒としての有機スズ類、アミン類などからなる二液反応硬化型の発泡ウレタンを用いることができる。
【００３２】
隔壁３は、更に内壁４の両端に一対のパネル７ａ、７ｂを備えている。パネル７ａ、７ｂは、ケーブルダクト２の内周面より小さい形状で配置され、複数のケーブル１が通過する切り欠け１０が形成されている。一対のパネル７ａ、７ｂはボルト、鉄筋などにより堅固に固定され、配置される。パネル７ａ、７ｂを鉄筋により固定することで、密閉構造の形成時、あるいは、水の浸入によりパネルが曲がることを防止することができる。この一対のパネル７ａ、７ｂの間に延焼防止材を流入し、隔壁３が形成される。一対のパネル７ａ、７ｂを設けることにより、パネル７ａ、７ｂの間に流入される延焼防止材が広がることを防ぐことができ、延焼防止材の使用量を抑えることができる。
【００３３】
パネル７ａ、７ｂとしては、パネル７ａと７ｂとの間に延焼防止材を流入する際、流入された延焼防止材がケーブルダクト２の天井に接した状態で固化することができれば、特に限定されず用いることができるが、軽量で加工しやすく、また、耐水性にも優れているため、石膏ボードを用いることが好ましい。
【００３４】
隔壁３の形成後、隔壁３とケーブルダクト２の内周面とのダクト孔６側の継目部分に、弾性を有する樹脂８を備えることが好ましい。弾性を有する樹脂８を備えることにより、振動・衝撃などにより、隔壁３とケーブルダクト２の内周面とに隙間が生じることを防止することができ、隔壁の防水性を保持することができる。
【００３５】
弾性を有する樹脂８としては、エポキシ樹脂を主成分とする樹脂が好ましく、具体的には、「ロンジーパテＦ−１９７Ｎ」（スリーボンドユニコム社製）を用いることが好ましい。
【００３６】
隔壁の厚さは、パネル７ａ、７ｂを備える箇所で１５０ｍｍ以上であることが好ましく、延焼防止材による内壁のみの場合は、３００ｍｍ以上であることが好ましい。上記範囲で、隔壁を形成することで、水の浸入を隔壁により防止することができる。
【００３７】
ケーブルダクト２内の隔壁３の位置としては、図１においては、建造物Ｘから最も近いダクト孔６の建造物Ｘ側に配置されている。このような位置に配置することにより、延焼防止剤をダクト孔６から流入することができるため、隔壁３の製造を容易に行うことができる。また、建造物から最も近いダクト孔の建造物側に配置されているため、雨水および海水がケーブルダクト２内へ浸入しても、隔壁３で建造物Ｘへの流入を防止することができる。したがって、建造物Ｘへの雨水、および海水の浸入を防止することができる。隔壁３の位置としては、図１の位置に限定されず、建造物と建造物から最も近いダクト孔との間に設けることで、ダクト孔から浸入する雨水および海水の建造物への浸入を防止することができる。
【００３８】
＜密閉構造の形成方法＞
図２から図４は、本発明の密閉構造の形成方法を示す図である。図２はケーブルダクト２内に敷材を配置した図、図３はケーブルダクト２内の一方にパネルを配置した図、図４は隔壁の斜視図を示す。
【００３９】
まず、図２に示すように、敷材５をケーブルダクト２の底面と複数のケーブル１との間に配置する。敷材５は、ケーブル１に対して横切る方向に配置され、複数のケーブルの幅より長い敷材５が配置される。
【００４０】
敷材５を配置することにより、ケーブルダクト２の底面９とケーブル１との間に、隙間を設けることができるため、内壁４を形成する延焼防止剤を、この隙間に浸透させることができ、ケーブル１の周囲を延焼防止材で固めることができる。
【００４１】
敷材５は、ケーブルダクト２の底面９とケーブル１の下に敷くことができ、ケーブルダクト２の底面９とケーブル１との間に、隙間を設けることができれば、特に限定されず用いることができる。このような敷材としては、耐久性の面からステンレス材料の敷材を用いることが好ましい。また、敷材の形状も特に限定されず用いることができるが、角材であることが好ましい。
【００４２】
次に、図３に示すように、下部にケーブル１が通過する切り欠け１０を設けた一方のパネル７ａを、ケーブルダクト２内に設置する。一方のパネル７ａから所望の隔壁の厚さになるように他方のパネル７ｂを設置し、一対のパネル７ａ、７ｂをボルト１１の両側で固定する。パネル７ａ、７ｂをボルト１１の両側で固定することにより、パネル７ａ、７ｂの間隔を一定の間隔で保つことができ、パネル７ａ、７ｂの間が広がらないように隔壁を形成することができる。したがって、延焼防止材の添加量を一定にすることができる。
【００４３】
次に、図４は、隔壁３をダクト孔６側からみた斜視図である。隔壁３は、一対のパネル７ａ、７ｂの間にダクト孔６から延焼防止材を流入させることで、内壁４を形成し、隔壁３を形成している。
【００４４】
また、内壁４には、発泡ウレタンを添加することができる。発泡ウレタンを添加する場合は、まず、ケーブル１とこれに隣り合うケーブル１の間に浸透するように、延焼防止材を添加し、硬化させ、パネル７ａ、７ｂのケーブル１が通過する切り欠け１０をふさぐ。
【００４５】
次に、一対のパネル７ａ、７ｂの間に発泡ウレタンを添加し、発泡させる。その後、更に延焼防止材を添加し、内壁４を形成する。
【００４６】
延焼防止材が硬化した後、隔壁３とケーブルダクト２の内周面とのダクト孔６側の継目部に弾性を有する樹脂８を塗布する。また、パネル７ｂと内壁４との継目部、内壁４とケーブル１との継目部にも弾性を有する樹脂８を塗布することが好ましい。
【００４７】
［第２実施形態］
図５は、本発明の第２実施形態の密閉構造を示す断面図である。第２実施形態の密閉構造は一対のパネルを備えていない点が、第１実施形態と異なっている。
【００４８】
図５に示すように、ケーブルダクト１０２の高さが低い場合には、延焼防止材のみで、隔壁１０３を形成することができる。この場合、隔壁１０３の厚さは、隔壁１０３の最も薄い箇所で、３００ｍｍ以上であることが好ましい。隔壁１０３の厚さを３００ｍｍ以上とすることで、隔壁１０３がケーブルダクト１０２内の天井に接した状態で固化するため、隔壁１０３により水の浸入を防止することができる。また、隔壁１０３とケーブル１との継目部に弾性を有する樹脂１０８を備える。これにより、振動・衝撃などにより、隔壁１０３とケーブル１との間に隙間が生じることを防止することができ、隔壁の防水性を保持することができる。なお、図示はしないが、第１実施形態と同様に、隔壁１０３とケーブルダクト１０２の内周面にも弾性を有する樹脂を備えている。
【図面の簡単な説明】
【００４９】
【図１】本発明の第１実施形態の密閉構造を示す断面図である。
【図２】本発明の密閉構造の形成方法を示す斜視図であり、敷材を配置した図である。
【図３】本発明の密閉構造の形成方法を示す斜視図であり、パネルを配置した図である。
【図４】第１実施形態の隔壁を示す斜視図である。
【図５】本発明の第２実施形態の密閉構造を示す断面図である。
【符号の説明】
【００５０】
１  ケーブル
２、１０２  ケーブルダクト
３、１０３  隔壁
４  内壁
５  敷材
６  ダクト孔
７ａ、７ｂ  パネル
８、１０８  弾性を有する樹脂
９  ケーブルダクトの底面
１０  切り欠け
１１  ボルト
Ｘ  建造物
【図１】
2008061341.tif 000003
【図２】
2008061341.tif 000004
【図３】
2008061341.tif 000005
【図４】
2008061341.tif 000006
【図５】
2008061341.tif 000007